【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
ピストンサイクル中に往復式デバイスにおいて自由ピストンアセンブリを制御する方法であって、前記ピストンサイクルは、少なくとも、第１の上死点（ＴＤＣ）位置から下死点（ＢＤＣ）位置への前記自由ピストンアセンブリの第１のストロークと、前記ＢＤＣ位置から第２のＴＤＣ位置への前記自由ピストンアセンブリの第２のストロークとを備え、前記方法は、
処理回路を使用して、前記往復式デバイスの少なくとも１つの動作特性を監視することと、
前記処理回路を使用して、前記少なくとも１つの動作特性に基づいて前記ピストンサイクルの前記第２のストロークのために要求される量のエネルギーを示す情報を決定することと、
前記処理回路を使用して、駆動区画に、前記量のエネルギーに基づいて前記第１のストローク中に前記自由ピストンアセンブリの運動エネルギーを貯蔵されたエネルギーに変換させることと、
正味電気入力を伴わずに前記第２のストロークを実施させながら、前記第１のストローク中および前記第２のストローク中に前記自由ピストンアセンブリの前記運動エネルギーの少なくとも一部を電気エネルギーに変換させることと
を含む、方法。
【請求項２】
前記量のエネルギーを示す前記情報を決定することは、損失を考慮するためのバッファ量のエネルギーを示す情報に少なくとも部分的に基づき、前記バッファ量のエネルギーは、摩擦損失、熱損失、または予期せぬ損失のうちの少なくとも１つに基づく、請求項１に記載の方法。
【請求項３】
前記第２のストローク中、第１の時間中に電力を出力し、第２の時間中に電力を入力することをさらに含む、請求項１に記載の方法。
【請求項４】
前記自由ピストンアセンブリの前記運動エネルギーの前記少なくとも一部を電気エネルギーに変換させることは、前記貯蔵されたエネルギーと、前記第２のストロークのために要求される前記量のエネルギーとの差異を示す情報を決定することを含む、請求項１に記載の方法。
【請求項５】
前記第２のストロークのために要求される前記量のエネルギーは、第１の量のエネルギーであり、前記運動エネルギーの前記少なくとも一部は、第２の量のエネルギーであり、前記方法は、前記第２の量のエネルギーを示す情報を決定することをさらに含む、請求項１に記載の方法。
【請求項６】
前記自由ピストンアセンブリの前記運動エネルギーの前記少なくとも一部を電気エネルギーに変換させることは、前記往復式デバイスの所望される動力出力に基づく、請求項１に記載の方法。
【請求項７】
前記第１のストロークは、拡張ストロークを備え、前記第２のストロークは、圧縮ストロークを備える、請求項１に記載の方法。
【請求項８】
ピストンサイクル中に往復式デバイスにおいて自由ピストンアセンブリを制御するためのシステムであって、前記ピストンサイクルは、少なくとも、第１の上死点（ＴＤＣ）位置から下死点（ＢＤＣ）位置への前記自由ピストンアセンブリの第１のストロークと、前記ＢＤＣ位置から第２のＴＤＣ位置への前記自由ピストンアセンブリの第２のストロークとを備え、前記制御システムは、処理回路を備え、
前記処理回路は、
前記往復式デバイスの少なくとも１つの動作特性を監視することと、
前記少なくとも１つの動作特性に基づいて前記ピストンサイクルの前記第２のストロークのために要求される量のエネルギーを示す情報を決定することと、
駆動区画に、前記量のエネルギーに基づいて前記第１のストローク中に前記自由ピストンアセンブリの運動エネルギーを貯蔵されたエネルギーに変換させることと、
正味電気入力を伴わずに前記第２のストロークを実施させながら、前記第１のストローク中および前記第２のストローク中に前記自由ピストンアセンブリの前記運動エネルギーの少なくとも一部を電気エネルギーに変換させることと
を行うように構成されている、システム。
【請求項９】
前記処置回路は、損失を考慮するためのバッファ量のエネルギーを示す情報に少なくとも部分的に基づいて、前記量のエネルギーを示す前記情報を決定するようにさらに構成され、前記バッファ量のエネルギーは、摩擦損失、熱損失、または予期せぬ損失のうちの少なくとも１つに基づく、請求項８に記載のシステム。
【請求項１０】
前記処理回路は、前記第２のストローク中、第１の時間中に電力を出力し、第２の時間中に電力を入力するようにさらに構成されている、請求項８に記載のシステム。
【請求項１１】
前記処理回路は、前記貯蔵されたエネルギーと、前記第２のストロークのために要求される前記量のエネルギーとの差異を示す情報を決定することによって、前記自由ピストンアセンブリの前記運動エネルギーの前記少なくとも一部を電気エネルギーに変換させるようにさらに構成されている、請求項８に記載のシステム。
【請求項１２】
前記第２のストロークのために要求される前記量のエネルギーは、第１の量のエネルギーであり、前記運動エネルギーの前記少なくとも一部は、第２の量のエネルギーであり、前記処理回路は、前記第２の量のエネルギーを示す情報を決定するようにさらに構成されている、請求項８に記載のシステム。
【請求項１３】
前記処理回路は、前記往復式デバイスの所望される動力出力に基づいて、前記自由ピストンアセンブリの前記運動エネルギーの前記少なくとも一部を電気エネルギーに変換させるようにさらに構成されている、請求項８に記載のシステム。
【請求項１４】
前記第１のストロークは、拡張ストロークを備え、前記第２のストロークは、圧縮ストロークを備える、請求項８に記載のシステム。
【請求項１５】
往復式デバイスであって、
ピストンサイクル中に平行移動するように構成された自由ピストンアセンブリであって、前記ピストンサイクルは、少なくとも、第１の上死点（ＴＤＣ）位置から下死点（ＢＤＣ）位置への前記自由ピストンアセンブリの第１のストロークと、前記ＢＤＣ位置から第２のＴＤＣ位置への前記自由ピストンアセンブリの第２のストロークとを備える、自由ピストンアセンブリと、
前記自由ピストンアセンブリからのエネルギーを貯蔵するように構成された駆動区画と、
処理回路と
を備え、
前記処理回路は、
システムの少なくとも１つの動作特性を監視することと、
前記少なくとも１つの動作特性に基づいて前記ピストンサイクルの前記第２のストロークのために要求される量のエネルギーを示す情報を決定することと、
前記駆動区画に、前記量のエネルギーに基づいて前記第１のストローク中に前記自由ピストンアセンブリの運動エネルギーを貯蔵されたエネルギーに変換させることと、
正味電気入力を伴わずに前記第２のストロークを実施させながら、前記第１のストローク中および前記第２のストローク中に前記自由ピストンアセンブリの前記運動エネルギーの少なくとも一部を電気エネルギーに変換させることと
を行うように構成されている、往復式デバイス。
【請求項１６】
前記処置回路は、損失を考慮するためのバッファ量のエネルギーを示す情報に少なくとも部分的に基づいて、前記量のエネルギーを示す前記情報を決定するようにさらに構成されている、請求項１５に記載の往復式デバイス。
【請求項１７】
前記バッファ量のエネルギーは、摩擦損失、熱損失、または予期せぬ損失のうちの少なくとも１つに基づく、請求項１６に記載の往復式デバイス。
【請求項１８】
前記処理回路は、前記貯蔵されたエネルギーと、前記第２のストロークのために要求される前記量のエネルギーとの差異を示す情報を決定することによって、前記自由ピストンアセンブリの前記運動エネルギーの前記少なくとも一部を電気エネルギーに変換させるようにさらに構成されている、請求項１５に記載の往復式デバイス。
【請求項１９】
前記第２のストロークのために要求される前記量のエネルギーは、第１の量のエネルギーであり、前記運動エネルギーの前記少なくとも一部は、第２の量のエネルギーであり、前記処理回路は、前記第２の量のエネルギーを示す情報を決定するようにさらに構成されている、請求項１５に記載の往復式デバイス。
【請求項２０】
前記処理回路は、前記システムの所望される動力出力に基づいて、前記自由ピストンアセンブリの前記運動エネルギーの前記少なくとも一部を電気エネルギーに変換させるようにさらに構成されている、請求項１５に記載の往復式デバイス。